(57)【特許請求の範囲】
【請求項１】
薬物送達デバイス用の駆動アセンブリであって、
近位端（１８）及び遠位端（１９）を有するハウジング（１７）、
薬物の用量の設定中ハウジング（１７）に対して第一の方向（４４）に回転するように、そして用量の送達中ハウジング（１７）に対して、第一の方向（４４）とは反対である第二の方向（４７）に回転するように構成される回転部材（２１）、
用量の送達中第二の方向（４７）への回転部材（２１）の回転運動に従動するように構成される駆動構成部材（２０）、
ハウジング（１７）に対して第一の方向（４４）への駆動構成部材（２０）の回転運動を妨げるように、そしてハウジング（１７）に対して第二の方向（４７）への駆動構成部材（２０）の回転運動を可能にするように構成される停止部材（２６）、
ここで駆動構成部材（２０）は、第一の駆動部分（７１）及び第二の駆動部分（７２）の相対的な回転運動が妨げられそして相対的軸方向運動が可能にされるように互いに連結された該第一の及び第二の駆動部分（７１、７２）を含み、ここで第一の駆動部分（７１）が回転部材（２１）と係合するように構成され、そして第二の駆動部分（７２）が停止部材（２６）と係合するように構成される、
第一の駆動部分（７１）及び第二の駆動部分（７２）の軸方向の分離を制限する駆動構成部材（２０）の保持手段、
薬物の用量を送達するために、軸方向に変位するように構成されるピストンロッド、
ここで第一の及び第二の駆動部分（７１、７２）の少なくとも一つは、ピストンロッド（１２）と駆動構成部材（２０）の間の相対的な軸方向運動が可能とされ、そして相対的な回転運動が妨げられるようにピストンロッド（１２）と係合される、及び
ハウジング（１７）に対して軸方向に可動であり、ハウジングに対して回転的に動くことができない用量部材（３４）であって、ハウジング（１７）に対する用量部材（３４）の動きがハウジング（１７）に対する回転部材（２１）の回転運動に変換される用量部材（３４）、
を含む、上記駆動アセンブリ。
【請求項２】
駆動構成部材（２０）が、第一及び第二の駆動部分（７１、７２）の少なくとも一つを、回転部材（２１）及び停止部材（２６）の少なくとも一つと隣接状態に保持すべく、第一及び第二の駆動部分（７１、７２）の少なくとも一つの上に力を供するための付勢部材（７３）を含む、請求項１に記載の駆動アセンブリ。
【請求項３】
付勢部材（７３）が、第一及び第二の駆動部分（７１、７２）を反対の軸方向に強制して離す、請求項２に記載の駆動アセンブリ。
【請求項４】
軸方向において、付勢部材（７３）が第一の駆動部分（７１）と第二の駆動部分（７２）の間に位置する、請求項２又は３に記載の駆動アセンブリ。
【請求項５】
第一及び第二の駆動部分（７１、７２）の少なくとも一つが、回転部材（２１）及び停止部材（２６）の少なくとも一つとの係合のための歯部（２２、２８）を含む、請求項１〜４の何れかに記載の駆動アセンブリ。
【請求項６】
停止部材（２６）が、ハウジング（１７）に対する軸方向運動及び回転運動の両者に抗して固定される、請求項１〜５の何れかに記載の駆動アセンブリ。
【請求項７】
停止部材（２６）及び駆動構成部材（２０）が、ハウジング（１７）に対して第一の方向（４４）における停止部材（２６）と駆動構成部材（２０）の間の相対的な回転運動を妨げるように、そしてハウジング（１７）に対して第二の方向（４７）における停止部材（２６）と駆動構成部材（２０）の相対的な回転運動を可能にするように構成される第一の一方向性摩擦クラッチ機構によって互いに連結される、請求項１〜６の何れかに記載の駆動アセンブリ。
【請求項８】
駆動構成部材（２０）及び回転部材（２１）が、用量を設定するための第一の方向（４４）への回転部材（２１）の回転中、回転部材（２１）と駆動構成部材（２０）の間の相対的な回転運動を可能にするように、そして用量を送達するための第二の方向（４７）への回転部材（２１）の回転中、回転部材（２１）と駆動構成部材（２０）の間の相対的な回転運動を妨げるように構成される第二の一方向性摩擦クラッチ機構によって互いに連結される、請求項１〜７の何れかに記載の駆動アセンブリ。
【請求項９】
請求項１〜８の何れかに記載駆動アセンブリ（７０）において使用するための駆動構成部材であって、
駆動構成部材（２０）が、第一及び第二の駆動部分（７１、７２）の相対的な回転運動が妨げられ、そして相対的軸方向運動が可能にされるように、互いに連結される第一の駆動部分（７１）及び第二の駆動部分（７２）を含んでなり、第一の駆動部分（７１）が、第一の方向への第一の駆動部分（７１）の回転運動を妨げるように、そしてはめ合い第一の係合手段（２３）に対して第二の方向への第一の駆動部分（７１）の回転運動を可能にするように適合されそして構成される一方向性摩擦クラッチ機構を確立するように構成される第一の係合手段（２２）を含み、そして第二の駆動部分（７２）が、第一の方向への第二の駆動部分（７２）の回転運動を妨げるように、そして第二のはめ合い係合手段（２７）に対して第二の方向への第二の駆動部分（７２）の回転運動を可能にするように適合されそして構成される一方向性摩擦クラッチ機構を確立するための第二の係合手段（２８）を含む、上記駆動構成部材。
【請求項１０】
第一及び第二の係合手段（２２、２８）が、互いに対して反対方向に向くように構成される、請求項９に記載の駆動構成部材。
【請求項１１】
第一及び第二の駆動部分（７１、７２）を強制して反対の軸方向に互いから離す力を供するように適合されそして配置される付勢部材（７３）を含んでなる、請求項９又は１０に記載の駆動構成部材。
【請求項１２】
第一の駆動部分（７１）が、駆動アセンブリ（７０）の回転部材（２１）との係合のために構成され、そして第二の駆動部分（７２）が、駆動アセンブリ（７０）停止部材（２６）との係合のために構成され、駆動構成部材（２０）が、駆動アセンブリ（７０）を構築するため、回転部材（２１）、停止部材（２６）及びハウジング（１７）を用いたアセンブリのために事前に組立てられた構成部材として供される、請求項９〜１１の何れかに記載の駆動構成部材。
【請求項１３】
請求項１〜８の何れかに記載の少なくとも一つの駆動アセンブリ（７０）及び請求項９〜１２の何れかに記載の駆動構成部材（２０）を含んでなり、そして更に薬物リザーバ（４）を取り付けるための手段を含んでなる、薬物送達デバイス。
【発明の詳細な説明】
【技術分野】
【０００１】
本開示は、薬物送達デバイス用の駆動アセンブリ及びそのような駆動アセンブリを組み込んでいる薬物送達デバイスに関する。
【背景技術】
【０００２】
薬物送達デバイスは、薬物を含有しているカートリッジを含み得る。薬物の用量をカートリッジから排出するために、カートリッジ内のピストンがピストンロッドによって遠位方向に変位され得る。薬物送達デバイスは、例えば、特許文献１において述べられている。
【先行技術文献】
【特許文献】
【０００３】
【特許文献１】米国特許公開２００７／０１２３８２９Ａ１号公報
【発明の概要】
【発明が解決しようとする課題】
【０００４】
本発明の目的は、薬物の投与が改良される駆動アセンブリ、駆動アセンブリの駆動構成部材及び薬物送達デバイスを供することである。
【課題を解決するための手段】
【０００５】
一つの態様によれば、薬物送達デバイス用の駆動アセンブリが供される。駆動アセンブリは、近位端及び遠位端を有するハウジングを含む。更に駆動アセンブリは、薬物の用量の設定中ハウジングに対して第一の方向に回転するように、そして用量の送達中ハウジングに対して、第一の方向とは反対である第二の方向に回転するように構成される回転部材を含む。更に、駆動アセンブリは、用量の送達中に第二の方向への回転部材の回転運動に従動するように構成される駆動構成部材、及びハウジングに対して第一の方向への駆動構成部材の回転運動を妨げるように、そしてハウジングに対して第二の方向への駆動構成部材の回転運動を可能にするように構成される停止部材を含む。駆動構成部材は、第一及び第二の駆動部分の相対的な回転運動が妨げられ、そして相対的軸方向運動が可能にされるように互いに連結された第一の駆動部分及び第二の駆動部分を含む。好ましくは、第一の駆動部分は回転部材と係合するように構成され、そして第二の駆動部分は停止部材と係合するように構成される。
【発明を実施するための形態】
【０００６】
この文脈において、用語「ハウジング」は、如何なる外部ハウジング、内部ハウジン又は外部ハウジング若しくは内部ハウジンに固定される部分をも意味するものとする、それによって、この部分と外部又は内部のハウジングの間の相対的な動きが妨げられる。ハウジングは、薬物送達デバイス又はその機構の如何なるものの安全で、正確でそして快適な取り扱いを可能にするように設計され得る。それは、薬物送達デバイスの如何なる内部構成部材、例えば、駆動アセンブリ、カートリッジ、ピストン、ピシトンロッドをも収容し、固定し、保護し、案内死及び／又はそれと係合するように設計され得る。ハウジングは、チューブ状又は非チューブ状の形の一体の又は複数部分の構成部材であり得る。
【０００７】
用語「遠位端」は、薬物送達デバイスの投与端の最も近くにある、又は配置されることになる、薬物送達デバイス又はその構成部材の端部を示す。用語「近位端」は、薬物送達デバイスの投与端から最も遠く離れている、又は配置されることになる、デバイス又はその構成部材の端部を示す。従って、用語「遠位方向」は、近位端から遠位端に向かう方向を示し、そして用語「近位方向」は、遠位端から近位端に向かう方向を示す。
【０００８】
薬物送達デバイスは、注射デバイスであり得る。薬物送達デバイスは、ペン型のデバイス、特に、ペン型の注射器であり得る。デバイスは使い捨てできる又は再使用できるデバイスであり得る。デバイスは、使用者が用量のサイズノ選択ができない固定された用量のデバイスであり得る。ここで、投与されるべき用量の絶対サイズは、デバイスの設計によって事前に定められる。デバイスは、投与されるべき各用量が同じサイズを有するように、又は用量のサイズが変わるように構成され得る。または、デバイスは、投与されるべき用量の絶対サイズが使用者によって選択できる可変用量デバイスであり得る。特に、使用者は異なる用量サイズの間で選択できる。薬物送達デバイスは手動で、特に、非電気的に駆動されるデバイスであり得る。
【０００９】
停止部材と駆動構成部材の、特に、停止部材と第二の駆動部分の機械的相互作用は、第一の方向へのハウジングに対する、特に、用量の設定中の停止部材に対する、駆動構成部材の回転運動を妨げ得る。このように、用量設定中の駆動構成部材の回転は避けられ得る。例として、そのような機械的相互作用には、第一の方向への回転部材の回転中のインターロック、係合、及び／又は隣接が含まれ得る。一例として、第二の回転部分は、停止部材との係合のための歯部を含み得る。
【００１０】
駆動アセンブリは、薬物の用量を送達するために、遠位方向に変位するように構成され、そして駆動構成部材の第二の回転方向への回転運動が、ハウジングに対して遠位方向へのピストンロッドの動きに少なくとも部分的に変換されるように構成されるピストンロッドを含む。
【００１１】
用語「ピストンロッド」は、好ましくは、ハウジングを通して／その内で操作するように適合される、そして薬物送達デバイスを通して／その内を、好ましくは、駆動構成部材からピストンに向かって遠位方向に向かって、例えば、注射できる製品を排出／投与する目的で、その軸方向運動を伝えるように設計され得る構成部材を意味するものとする。該ピストンロッドは柔軟であり得るか又はそうでなくてもよい。それは単純なロッド、親ねじ、ラックアンドピニオンシステム、ウォームギヤシステムなどであり得る。用語「ピストンロッド」は、円形又は非円形の断面を有する構成部材を更に意味するものとする。それは、当業者に公知の如何なる適する材でも作られ得て、そして一体の又は複数部分の構造のものであり得る。
【００１２】
駆動構成部材は、第二の方向への駆動構成部材の回転運動を、ハウジングに対するピストンロッドの遠位での動きに少なくとも部分的に変換するように、ピストンロッドに連結され得る。駆動構成部材は、ピストンロッドと駆動構成部材の間の相対的な軸方向運動が可能とされ、そして相対的な回転運動が妨げられるように、ピストンロッドと係合され得る。特に、駆動構成部材、例えば、第一の駆動構成部材及び第二の駆動構成部材の少なくとも一つはピストンロッドと係合され得る。駆動構成部材はピストンロッドとスプライン係合状態にあり得る。
【００１３】
駆動構成部材はまた、第一の方向への駆動構成部材の動きがハウジングに対して近位方向へのピストンロッドの動きに少なくとも部分的に変換されるように、ピストンロッドに連結され得る。従って、用量設定中にピストンロッドが近位方向に動かされるリスクが、用量設定中の第一の回転方向への駆動構成部材の回転運動を妨げることによって低減され得る。ピストンロッドの意図しない近位での動きは用量の正確さの低下をもたらし得る。その結果、用量の正確さは、用量設定中にハウジングに対する駆動構成部材の回転を妨げることによって改善され得る。
【００１４】
好ましい実施態様によれば、駆動部材及び回転部材は共通の回転軸の回りに回転できる。ピストンロッドは、回転軸に沿ってハウジングに対して遠位方向に変位され得る。回転軸はピストンロッドに沿って、特に、ピストンロッドの伸びの主方向に沿って走行（run）し得る。
【００１５】
駆動構成部材、特に、第一の駆動部分及び第二の駆動部分は、停止部材と回転部材の間に配置され得る。
【００１６】
第二の方向への駆動構成部材の回転運動は、ハウジングに対するピストンロッドの回転運動に、特に、同じ方向への及び／又は同じ角度だけの回転運動に、そして遠位方向へのハウジングに対するピストンロッドの動きに少なくとも部分的に変換され得る。この目的のために、ピストンロッドはハウジングにねじで連結、特に、ねじで係合され得る。
【００１７】
別の実施態様によれば、駆動構成部材の回転運動は、遠位方向へのピストンロッドの純粋な直線運動に変換される。従って、ピストンロッドは、ハウジングに対して回転することなく遠位方向へ動かされ得る。この目的のために駆動構成部材が、ピストンロッドと係合するための歯車の歯を含むことは特に適切である。
【００１８】
駆動アセンブリは用量部材を含み得る。用量部材は、例えば、用量の設定中及び送達中に、好ましくは、ハウジングに対して可動である。用量部材は、用量を設定するためにハウジングに対して近位方向に可動であり得る。用量部材は、設定された用量を送達するためにハウジングに対して遠位方向に可動であり得る。ハウジングに対する用量部材の動きは、ハウジングに対する回転部材の回転運動に変換され得る。用量を設定するための用量部材の動きは、第一の方向へのハウジングに対する回転部材の回転運動に変換され得る。設定された用量を送達するための用量部材の動きは、第二の方向へのハウジングに対する回転部材の回転運動に変換され得る。用量部材は、ハウジングに対する回転運動に抗して固定され得る。用量部材は、例えば、ハウジングにスプラインされ得る。用量部材は、回転部材に対して可動であり得る。回転運動に対する用量部材の動きは、回転部材の回転運動に変換され得る。
【００１９】
用量部材及び回転部材は係合され得て、好ましくは、ねじで係合され得る。一例として、回転部材の回転運動は、用量部材の直線的な動きを、ハウジングに対する回転部材の回転運動に変換し得る、ねじによる係合によって達成され得る。
【００２０】
好ましい実施態様によれば、第一の駆動部分は、用量の設定及び投与のために、回転部材の回転運動中に、好ましくは、恒久的に回転部材と隣接及び／又は係合する。第二の駆動部分は、用量の設定及び投与のために、回転部材の回転運動中に、好ましくは、恒久的に呈す部材と隣接及び／又は係合し得る。好ましい実施態様において、第一の駆動部分は回転部材と恒久的に隣接し、そして第二の駆動部分は停止部材と恒久的に隣接する。
【００２１】
好ましい実施態様によれば、駆動アセンブリは、第一及び第二の駆動部分の少なくとも一つを、回転部材及び停止部材の少なくとも一つと隣接状態に保持すべく、第一及び第二の駆動部分の少なくとも一つの上に力を供するための付勢部材を含む。好ましくは、付勢部材は、第一の駆動部分を回転部材と隣接状態に、そして第二の駆動部分を停止部材と隣接状態に保持するために、第一の駆動部分及び第二の駆動部分の両者の上に力を供する。一例として、付勢部材はばね部材であり得る。好ましくは、付勢部材は、各駆動部分上に力を供するために、第一の駆動部分及び第二の駆動部分の少なくとも一つと隣接する。
【００２２】
好ましくは、そうすることによって、用量の設定中及び投与中に、特に、第一の回転方向及び第二の方向への回転部材の回転運動中に、第一の駆動部分は回転部材と恒久的な隣接状態に保持され、そして第二の駆動部分は停止部材と恒久的な隣接状態に保持される。
【００２３】
付勢部材は第一の駆動部分と第二の駆動部分の間に置かれ得る。ここで、第一の駆動部分の少なくとも一部は、付勢部材の一端、例えば、その近位端に置かれ、そして第二の駆動部分の少なくとも一部は、付勢部材の反対の端、例えば、その遠位端に置かれる。付勢部材は、駆動構成部材が第一の駆動部分と第二の駆動部分を含み、そして付勢部材が駆動アセンブリの他の構成部材内に噛合できる事前に組立てられる構成部材として供されるように、駆動構成部材内に統合され得る。そうすることによって、駆動アセンブリの別々の構成部材の数は低減され得て、そして駆動アセンブリの組立プロセスは改善され得る。
【００２４】
付勢部材は、第一の駆動部分及び第二の駆動部分の少なくとも一つと隣接、好ましくは、恒久的に隣接し得る。好ましくは、付勢部材は、第一の駆動部分及び第二の駆動部分の両方と隣接する。好ましくは、付勢部材は、それが第一の駆動部分及び第二の駆動部分の回転運動に従動するように構成され得る。
【００２５】
好ましくは、付勢部材は、反対の軸方向に第一の駆動部分及び第二の駆動部分と面する。そうすることによって、第一の駆動部分は、回転部材上に無理やり置かれ、そして第二の駆動部分は、停止部材上に無理やり置かれる。
【００２６】
一つの実施態様によれば、停止部材は、ハウジングに対する回転運動に抗して固定される。一つの好ましい実施態様によれば、停止部材は、ハウジングに対する軸方向運動及び回転運動の両者に抗して固定される。
【００２７】
例として、停止部材はハウジングに恒久的に固定され得て、例えば、ハウジングの内側に固定される挿入物として設計され得て、又はハウジングの統合部分であり得る。
【００２８】
一つの好ましい実施態様において、駆動構成部材及び停止部材は、一方向性摩擦クラッチ機構によって互いに連結、好ましくは、恒久的に連結される。好ましくは、第一の駆動部分及び回転部材は、一方向性摩擦クラッチ機構によって連結される。この摩擦クラッチ機構は、用量の設定のための回転部材の動きの最中に、回転部材と駆動構成部材の間の相対的な回転運動を可能にするように、そして用量の送達のための回転部材の動きの最中に、回転部材と駆動構成部材の相対的な回転運動を妨げるように構成され得る。
【００２９】
一つの好ましい実施態様において、駆動構成部材及び停止部材は、一方向性摩擦クラッチ機構によって互いに連結、好ましくは、恒久的に連結される。好ましくは、ここで、第二の駆動部分及び呈す部材は、一方向性摩擦クラッチ機構によって連結される。この摩擦クラッチ機構は、用量の設定のための回転部材の動きの最中に、停止部材と駆動構成部材の間の相対的な回転運動を妨げるように、そして用量の送達のための回転部材の動きの最中に、呈す部材と駆動構成部材の相対的な回転運動を可能にするように構成され得る。
【００３０】
一つの好ましい実施態様によれば、駆動構成部材、停止部材、回転部材及び用量部材の少なくとも一つはスリーブとして形成され得て又はそれを含み得る。回転軸を画成するロッド、例えば、ピストンロッド又は軸ロッドは、駆動スリーブ、停止スリーブ、回転スリーブ及び用量スリーブの一つ、それより多く、又は全てを通して伸び得る。
【００３１】
好ましくは、第一の駆動部分及び第二の駆動部分の少なくとも一つはスリーブを含む。ピストンロッドはスリーブを通して伸び得る。一つの好ましい実施態様において、両方の駆動部分はスリーブを含む。スリーブの一つは、他のスリーブを少なくとも部分的に囲む。スリーブは滑り得るように互いに連結され得る。一例として、第一の駆動部分のスリーブは、第二の駆動部分のスリーブを部分的に囲み得る。
【００３２】
駆動構成部材は、第一の駆動部分と第二の駆動部分の軸方向の分離を制限するための保持手段を含み得る。保持手段は、駆動構成部材が駆動アセンブリの他の構成部材と組み立てられていない状態において、第一の駆動部分と第二の駆動部分の完全な分離が妨げられ得るように構成され得る。
【００３３】
例として、保持手段は、第一の駆動部分と第二の駆動部分の一つ又は両方に配置され得る。保持手段は、他の駆動部分上の第二の停止面と隣接するように配置される、駆動部分の一つ上の第一の停止面を含み得る。停止面は、駆動部分の画成された軸方向の分離の際に、停止面が隣接し、そうすることによって駆動部分の更なる分離を妨げるように設計され得る。
【００３４】
更なる態様によれば、上述の通り、駆動アセンブリにおいて使用するための駆動構成部材が供され、ここで、駆動構成部材は、駆動アセンブリを構築するために回転部材、停止部材及びハウジングを有するアセンブリのための事前に組立てられた構成部材として供される。駆動構成部材は、第一及び第二の駆動部分の相対的な回転運動が妨げられ、そして相対的軸方向運動が可能とされるように、互いに連結される第一の駆動部分及び第二の駆動部分を含む。第一の駆動部分は第一の係合手段、例えば、歯部を含み得る。第一の係合手段は、第一の方向への第一の駆動部分の回転運動を妨げるように、そしてはめ合っている第一の係合手段、例えば、かみ合い歯部に対して第二の方向への第一の駆動部分の回転運動を可能にするように適合されそして構成される一方向性摩擦クラッチ機構を確立するように構成される。第二の駆動部分は、第一の方向への第二の駆動部分の回転運動を妨げるように、そして第二のはめ合い係合手段に対して第二の方向への第二の駆動部分の回転運動を可能にするように適合されそして構成される一方向性摩擦クラッチ機構を確立するための第二の係合手段、例えば歯部を含む。第一の駆動部分は、駆動アセンブリの回転運動との係合のために構成され、そして第二の駆動部分は、駆動アセンブリの停止運動との係合のために構成される。
【００３５】
特に、駆動構成部材は、駆動構成部材が駆動アセンブリの更なる構成部材を用いて組立てられる前の状態において、駆動構成部材からその構成部材の如何なる構成部材も完全に分離すること、例えば、部分が離れて落ちることが妨げられるように構成され得る。この目的のために、駆動構成部材は、保持手段、例えば、前述のような保持手段を含み得る。保持手段は、第一の駆動部分及び第二の駆動部分の完全な分離を妨げ得る。
【００３６】
一つの実施態様によれば、第一及び第二の係合手段は、互いに対して反対方向に向くように構成される。
【００３７】
第一の係合手段は、複数の歯を含んでいる第一の歯部を含み得る。第二の係合手段は、複数の歯を含んでいる第二の歯部を含み得る。第一の歯部は第二の歯部と比べて反対に配置され得る。
【００３８】
第一のはめ合い係合手段は、複数の歯を含んでいる第一のかみ合い歯部を含み得る。第二のはめ合い係合手段は、複数の歯を含んでいる第二のかみ合い歯部を含み得る。第一のかみ合い歯部は第二のかみ合い歯部と比べて反対に配置され得る。
【００３９】
一つの実施態様によれば、駆動構成部材は付勢部材、例えば、圧縮ばねを含む。付勢部材は、第一及び第二の駆動部分を強制して反対の軸方向に互いから離す傾向にある力を供するように適合され得てそして配置され得る。
【００４０】
付勢部材は、送達操作中に、第一の駆動部分が回転部材と係合状態に保持されるように構成され得る。付勢部材は、送達操作中に、第二の駆動部分が停止部材と係合状態に保持されるように構成され得る。
【００４１】
一つの好ましい実施態様において、駆動構成部材は、事前に組立てられた構成部材の部分である前述のような付勢部材を含む。付勢部材は、第一の駆動部分及び第二の駆動部分の少なくとも一つの上に力を供し得る。付勢部材は、第一の駆動部分及び第二の駆動部分を、反対の軸方向に強制して離し得る。好ましくは、駆動構成部材は、第一の駆動部分及び第二の駆動部分の少なくとも一つから付勢部材が完全に分離されること、例えば、離れて落ちることが妨げられるように構成される。例として、付勢部材は第一の駆動部分と第二の駆動部分の間に置かれ得て、そして第一の駆動部分及び第二の駆動部分によって定位置に保持され得る。追加的に又は代替的に駆動構成部材は、付勢部材が完全に分離されること、例えば、離れて落ちることを妨げるための更なる保持手段を含み得る。
【００４２】
駆動アセンブリ及び駆動構成部材に関連した上述の及び下記の特徴は、事前に組立てられる構成部材として供される対応する駆動構成部材に対しても適用され得る。
【００４３】
例として、第一の駆動構成部材及び第二の駆動構成部材の少なくとも一つは、停止部材及び回転部材の少なくとも一つとの係合のために歯部を含み得る。
【００４４】
好ましくは、第一の駆動構成部材及び第二の駆動構成部材の両者は歯部を含む。例として、第一の駆動部分はその近位端で歯部を含み得て、そして第二の駆動部分はその遠位端で歯部を含み得る。
【００４５】
更なる態様によれば、薬物送達デバイスが供され、ここで薬物送達デバイスは少なくとも一つの駆動アセンブリ及び上述の駆動構成部材を含む。デバイスは薬物リザーバを取り付けるための手段を含み得る。薬物リザーバは、デバイスのハウジングに恒久的に又は取り外し可能に取り付けられ得る。
【００４６】
本明細書で使用する用語「薬物」は、好ましくは、少なくとも１つの薬学的に活性な化合物を含む医薬製剤を意味し、
ここで、一実施態様において、薬学的に活性な化合物は、最大で１５００Ｄａまでの分子量を有し、及び／又は、ペプチド、蛋白質、多糖類、ワクチン、ＤＮＡ、ＲＮＡ、抗体、酵素、抗体、ホルモン、若しくはオリゴヌクレオチド、又は上記の薬学的に活性な化合物の混合物であり、
ここで、更なる実施態様において、薬学的に活性な化合物は、糖尿病、又は糖尿病性網膜症などの糖尿病関連の合併症、深部静脈又は肺血栓塞栓症などの血栓塞栓症、急性冠症候群（ＡＣＳ）、狭心症、心筋梗塞、癌、黄斑変性症、炎症、枯草熱、アテローム性動脈硬化症、及び／又は、関節リウマチの治療、及び／又は、予防に有用であり、
ここで、更なる実施態様において、薬学的に活性な化合物は、糖尿病、又は糖尿病性網膜症などの糖尿病に関連する合併症の治療、及び／又は、予防のための、少なくとも１つのペプチドを含み、
ここで、更なる実施態様において、薬学的に活性な化合物は、少なくとも１つのヒトインスリン、又はヒトインスリン類似体若しくは誘導体、グルカゴン様ペプチド（ＧＬＰ−１）、又はその類似体若しくは誘導体、又はエキセンジン−３又はエキセンジン−４、若しくはエキセンジン−３又はエキセンジン−４の類似体若しくは誘導体を含む。
【００４７】
インスリン類似体は、例えば、Ｇｌｙ（Ａ２１）、Ａｒｇ（Ｂ３１）、Ａｒｇ（Ｂ３２）ヒトインスリン；Ｌｙｓ（Ｂ３）、Ｇｌｕ（Ｂ２９）ヒトインスリン；Ｌｙｓ（Ｂ２８）、Ｐｒｏ（Ｂ２９）ヒトインスリン；Ａｓｐ（Ｂ２８）ヒトインスリン；ヒトインスリンであり、ここで、Ｂ２８位におけるプロリンは、Ａｓｐ、Ｌｙｓ、Ｌｅｕ、Ｖａｌ又はＡｌａで代替され、そして、Ｂ２８位において、Ｌｙｓは、Ｐｒｏで代替されてもよく；Ａｌａ（Ｂ２６）ヒトインスリン；Ｄｅｓ（Ｂ２８−Ｂ３０）ヒトインスリン；Ｄｅｓ（Ｂ２７）ヒトインスリン、及びＤｅｓ（Ｂ３０）ヒトインスリンである。
【００４８】
ヒトインスリン誘導体は、例えば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイル ヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、及びＢ２９−Ｎ−（ω−カルボキシヘプタデカノイル）ヒトインスリンである。
【００４９】
エキセンジン−４は、例えば、エキセンジン−４（１−３９）、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ2配列のペプチドを意味する。
【００５０】
エキセンジン−４誘導体は、例えば、以下の化合物リスト：
Ｈ−（Ｌｙｓ）４−ｄｅｓＰｒｏ３６，ｄｅｓＰｒｏ３７エキセンジン−４（１−３９）−ＮＨ2；
Ｈ−（Ｌｙｓ）５−ｄｅｓＰｒｏ３６，ｄｅｓＰｒｏ３７エキセンジン−４（１−３９）−ＮＨ2；
ｄｅｓＰｒｏ３６［Ａｓｐ２８］エキセンジン−４（１−３９）；
ｄｅｓＰｒｏ３６［ＩｓｏＡｓｐ２８］エキセンジン−４（１−３９）；
ｄｅｓＰｒｏ３６［Ｍｅｔ（Ｏ）１４，Ａｓｐ２８］エキセンジン−４（１−３９）；
ｄｅｓＰｒｏ３６［Ｍｅｔ（Ｏ）１４，ＩｓｏＡｓｐ２８］エキセンジン−４（１−３９）；
ｄｅｓＰｒｏ３６［Ｔｒｐ（Ｏ２）２５，Ａｓｐ２８］エキセンジン−４（１−３９）；
ｄｅｓＰｒｏ３６［Ｔｒｐ（Ｏ２）２５，ＩｓｏＡｓｐ２８］エキセンジン−４（１−３９）；
ｄｅｓＰｒｏ３６［Ｍｅｔ（Ｏ）１４Ｔｒｐ（Ｏ２）２５，Ａｓｐ２８］エキセンジン−４（１−３９）；
ｄｅｓＰｒｏ３６［Ｍｅｔ（Ｏ）１４Ｔｒｐ（Ｏ２）２５，ＩｓｏＡｓｐ２８］エキセンジン−４（１−３９）；又は
ｄｅｓＰｒｏ３６［Ａｓｐ２８］エキセンジン−４（１−３９）；
ｄｅｓＰｒｏ３６［ＩｓｏＡｓｐ２８］エキセンジン−４（１−３９）；
ｄｅｓＰｒｏ３６［Ｍｅｔ（Ｏ）１４，Ａｓｐ２８］エキセンジン−４（１−３９）；
ｄｅｓＰｒｏ３６［Ｍｅｔ（Ｏ）１４，ＩｓｏＡｓｐ２８］エキセンジン−（１−３９）；
ｄｅｓＰｒｏ３６［Ｔｒｐ（Ｏ２）２５，Ａｓｐ２８］エキセンジン−４（１−３９）；
ｄｅｓＰｒｏ３６［Ｔｒｐ（Ｏ２）２５，ＩｓｏＡｓｐ２８］エキセンジン−４（１−３９）；
ｄｅｓＰｒｏ３６［Ｍｅｔ（Ｏ）１４，Ｔｒｐ（Ｏ２）２５，Ａｓｐ２８］エキセンジン−４（１−３９）；
ｄｅｓＰｒｏ３６［Ｍｅｔ（Ｏ）１４，Ｔｒｐ（Ｏ２）２５，ＩｓｏＡｓｐ２８］エキセンジン−４（１−３９）；
ここで、基−Ｌｙｓ６−ＮＨ2は、エキセンジン−４誘導体のＣ−末端と結合してもよく；
【００５１】
又は以下の配列のエキセンジン−４誘導体：
Ｈ−（Ｌｙｓ）６−ｄｅｓＰｒｏ３６［Ａｓｐ２８］エキセンジン−４（１−３９）−Ｌｙｓ６−ＮＨ2；
ｄｅｓＡｓｐ２８，Ｐｒｏ３６，Ｐｒｏ３７，Ｐｒｏ３８エキセンジン−４（１−３９）−ＮＨ2；
Ｈ−（Ｌｙｓ）６−ｄｅｓＰｒｏ３６，Ｐｒｏ３８［Ａｓｐ２８］エキセンジン−４（１−３９）−ＮＨ2；
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ2；
ｄｅｓＰｒｏ３６，Ｐｒｏ３７，Ｐｒｏ３８［Ａｓｐ２８］エキセンジン−４（１−３９）−（Ｌｙｓ）６−ＮＨ2；
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ2；
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ2；
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ2；
Ｈ−ｄｅｓＡｓｐ２８  Ｐｒｏ３６，Ｐｒｏ３７，Ｐｒｏ３８［Ｔｒｐ（Ｏ２）２５］エキセンジン−４（１−３９）−ＮＨ2；
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2；
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2；
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2；
Ｈ−（Ｌｙｓ）６−ｄｅｓ  Ｐｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2；
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2；
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ2；
ｄｅｓＭｅｔ（Ｏ）１４，Ａｓｐ２８，Ｐｒｏ３６，Ｐｒｏ３７，Ｐｒｏ３８  エキセンジン−４（１−３９）−ＮＨ2；
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2；
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2；
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2；
Ｈ−Ａｓｎ−（Ｇｌｕ）５，ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2；
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ2；
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ2；
Ｈ−（Ｌｙｓ）６−ｄｅｓ  Ｐｒｏ３６，Ｐｒｏ３７，Ｐｒｏ３８［Ｍｅｔ（Ｏ）１４，Ａｓｐ２８］エキセンジン−４（１−３９）−ＮＨ2；
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ2；
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2；
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ2；
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2；
又は前述のいずれかのエキセンジン−４誘導体の薬学的に許容可能な塩若しくは溶媒和物；
から選択される。
【００５２】
ホルモンは、例えば、ゴナドトロピン(ホリトロピン、ルトロピン、コリオンゴナドトロピン、メノトロピン)、ソマトロピン (ソマトロピン)、デスモプレッシン、テルリプレッシン、ゴナドレリン、トリプトレリン、ロイプロレリン、ブセレリン、ナファレリン、ゴセレリンなどのRote Liste、２００８年版、５０章に表示されている脳下垂体ホルモン又は視床下部ホルモン又は規制活性ペプチド及びそれらの拮抗剤である。
【００５３】
多糖類としては、例えば、ヒアルロン酸、ヘパリン、低分子量ヘパリン、又は超低分子量ヘパリン、若しくはその誘導体などのグルコアミノグリカン、又は硫酸化された、例えば、上記多糖類のポリ硫酸化形体、及び／又は、薬学的に許容可能なその塩がある。ポリ硫酸化低分子量ヘパリンの薬学的に許容可能な塩の例としては、エノキサパリンナトリウム塩がある。
【００５４】
薬学的に許容可能な塩は、例えば、酸付加塩及び塩基塩がある。酸付加塩としては、例えば、ＨＣｌ又はＨＢｒ塩がある。塩基塩は、例えば、アルカリ又はアルカリ土類金属、例えば、Ｎａ+、又は、Ｋ+、又は、Ｃａ2+から選択されるカチオン、又は、アンモニウムイオンＮ+（Ｒ１）（Ｒ２）（Ｒ３）（Ｒ４）を有する塩であり、ここで、Ｒ１〜Ｒ４は互いに独立に、水素；場合により置換されるＣ１〜Ｃ６アルキル基；場合により置換されるＣ２〜Ｃ６アルケニル基；場合により置換されるＣ６〜Ｃ１０アリール基、又は場合により置換されるＣ６〜Ｃ１０ヘテロアリール基である。薬学的に許容される塩の更なる例は、“Remington's Pharmaceutical Sciences”17編、Alfonso R.Gennaro（編集），Mark
Publishing社，Easton, Pa., U.S.A.，1985 及び Encyclopedia of Pharmaceutical Technologyに記載されている。
【００５５】
薬学的に許容可能な溶媒和物としては、例えば、水和物がある。
【００５６】
更なる特徴、改良及び便宜は、図面と関連した例示的な実施態様の以下の記述から明らかになる。
【図面の簡単な説明】
【００５７】
【図１】薬物送達デバイスの例示的実施態様の部分的側部断面図を模式的に示す。
【図２】用量の設定中のエレメントの模式的に示された動きを有する駆動アセンブリの斜視断面図を模式的に示す。
【図３】図２の一部のより詳細な側面図を模式的に示す。
【図４】用量の送達中のエレメントの模式的に示された動きを有する駆動アセンブリの斜視断面図を模式的に示す。
【図５】図４の一部のより詳細な側面図を模式的に示す。
【図６】図２及び４の一部のより詳細な図を模式的に示す。
【００５８】
図において、類似のエレメント、同じ種類のエレメント及び実質的に同等に作用するエレメントには同じ参照符号が供され得る。
【００５９】
図１は、遠位端７及び近位端８を有する薬物送達デバイス１を示す。デバイス１はカートリッジ部分２及び駆動部分３を含む。カートリッジ部分２は薬物５、好ましくは、液体薬物を留めているカートリッジ４の形態をした薬物リザーバを含む。カートリッジ４は、好ましくは、薬物５の複数の用量を含む。薬物５は、例えば、インスリン、ヘパリン又は成長ホルモンを含み得る。カートリッジ４は、その遠位端に出口６を有する。薬物５は、出口６を通してカートリッジから投与され得る。
【００６０】
デバイス１はペン型のデバイス、特に、ペン型の注射器であり得る。デバイス１は使い捨てできる又は再使用できるデバイスであり得る。デバイス１は、使用者が異なる容量サイズノ間で選択できない固定された用量のデバイス、又は使用者が異なる容量サイズノ間で選択できる可変用量のデバイスであり得る。デバイス１は、針を含む又は針の無いデバイスであり得る。デバイス１は注射デバイスであり得る。
【００６１】
出口６は膜９によって覆われ得て、それはカートリッジの保存中に薬物５を外部の影響から保護する。薬物の送達のために、膜９は開けられ得て、例えば、突き刺され得る。例えば、膜９は（明示されていない）針ユニットによって突き刺され得る。針ユニットはカートリッジ部分２の遠位端に、取り外し可能に取り付けられ得る。針ユニットはカートリッジ４の内部からカートリッジの外側へと出口６を通して液体連通を供し得る。
【００６２】
ピストン１０はカートリッジ４内に保持される。ピストン１０はカートリッジに対して可動である。ピストン１０はカートリッジ内で薬物５をシールし得る。ピストン１０はカートリッジ４の内部を近位で都合よくシールする。遠位方向へのカートリッジ４に対するピストン１０の動きによって、薬物５が、デバイスの操作中に出口６を通してカートリッジ４から投与されることになる。
【００６３】
カートリッジ部分２は、その中にカートリッジ４が留められるカートリッジ保持部材１１を更に含む。カートリッジ保持部材１１はカートリッジ４を少なくとも部分的に収容し得る。カートリッジ保持部材１１にはカートリッジ部分２を駆動部分３に取り付けるための（明示されていない）固定部材が供され得る。
【００６４】
カートリッジ部分２及び駆動部分３は互いに固定され、好ましくは、取り外し可能に固定される。駆動部分３に取り外し可能に固定されるカートリッジ部分２は、例えば、カートリッジ４の交換を可能にするために駆動部分３から取り外され得る。例として、もし、カートリッジ４中に留められた薬物の全ての用量が投与されたならば、カートリッジ４は取り外さ得て、そして新しいカートリッジが駆動部分３に固定され得る。カートリッジ保持部材１１は、例えば、ねじを介して、駆動部分３に取り外し可能に固定され得る。または、カートリッジ保持部材１１は省略され得る。この場合、頑丈なカートリッジ４を適用し、そしてカートリッジを直接、駆動部分３に取り付けることは特に都合がよい。
【００６５】
駆動部分３は、駆動アセンブリの部分であり得るハウジング１３を含む。カートリッジ部分２の近位端側１４は、例えば、ねじによる連結を介して、ハウジング１３の遠位端側１５で駆動部分３に固定される。ハウジング１３、カートリッジ４及び／又はカートリッジ保持部材１１はチューブ状の形を有し得る。
【００６６】
駆動部分３は、遠位方向にカートリッジ４に対してピストン１０を変位するために、力、好ましくは、使用者によってかけられる力、特に好ましくは、手動でかけられる力をピストン１０に移すように構成される。薬物５の用量はこのようにしてカートリッジ４から投与され得る。薬物５のサイズは、ピストン１０が遠位方向にカートリッジ４に対して変位される距離によって定められ得る。
【００６７】
駆動部分３はピストンロッド１２を含んでいる駆動アセンブリを含む。ピストンロッド１２はピストン１０に力を移し、そうすることによってピストンをカートリッジ４に対して遠位方向に変位するように構成される。ピストンロッド１２の遠位端面はピストン１０の近位端面に隣接するように配置される。（明示されていない）支持部材はピストン１０を前進するために、好ましくは、ピストン１０の近位端面を隣接するために配置され得る。支持部材は、ピストン１０とピストンロッド１２の間に置かれ得る。支持部材は、ピストンロッド１２又は別の部材に固定され得る。もし、ピストンロッド１２が、例えば、用量の送達の際にデバイス１の操作中に回転するように構成されるならば、支持部材を供することは特に都合がよい。ベアリング部材は、ピストンロッド１２と一緒にハウジング１３に対して移され得る。ピストンロッド１２は、ベアリング部材に対して回転することができ得る。このようにして、回転しているピストンロッド１２がピストン１０内に穴を開け、そしてそのことによってピストン１０を損傷するリスクは低減される。従って、ピストン１２がハウジング１３に対して回転しそして移される一方、ベアリング部材は移されるのみであり、つまり、それは回転しない。ピストンロッド１２にベアリング部材によって拘束され得る。
【００６８】
駆動部分３は用量部分１６を含む。用量部分１６はハウジング１３に対して可動である。用量部分１６は、送達されるべき薬物５の用量を設定するために、ハウジング１３に対して近位方向に可動であり得て、そして設定された用量を送達するために、ハウジング１３に対して遠位方向に可動であり得る。用量部分１６は、好ましくは、ハウジング１３に連結される。用量部分１６はハウジング１３に対する回転運動に抗して固定され得る。用量部分１６は、用量を設定するためにハウジング１３に対する遠位端位置から近位端位置に、そして用量を送達するために近位端位置から遠位端位置に変位され得る（明示されていない）。用量の設定中に用量部分１６がハウジング１３に対して変位される距離によって用量のサイズが定められ得る。近位端位置及び遠位端位置は、ハウジングに対する用量部分１６の近位の又は遠位の走行を制限し得る各停止機構によって定められ得る。用量部分１６は、使用者によって掴まれ得る用量ノブを含み得る。用量ノブ４１は、用量部分１６の近位端で用量部分１６に配置され得てそして連結され得る。用量ノブ４１及び用量部分１６は一体の構成部材であり得る。
【００６９】
デバイス１は手動で、特に、非電気的に駆動されるデバイスであり得る。用量部分１６がハウジング１３に対して遠位方向に用量送達のために動かされる原因となる使用者がかけた力は、駆動アセンブリの他の部分によってピストンロッド１２に変位され得る。駆動アセンブリは、好ましくは、用量を設定するために用量部分１６が、例えば、ハウジング１３に対して近位方向に動かされるとき、ハウジング１３に対するピストンロッド１２の動きを妨げるように構成される。
【００７０】
上述の通り薬物送達デバイス１において供されるのに適する駆動アセンブリの実施態様が以下により詳細に述べられる。
【００７１】
図２は、デバイス１の駆動部分３の駆動アセンブリ７０の斜視断面図を示す。図６は、図２の一部のより詳細な図を示す。図３は、図２の駆動アセンブリ７０の一部を示す。
【００７２】
駆動アセンブリ７０はハウジング部分１７を含む。ハウジング部分１７は近位端１８及び遠位端１９を有する。ハウジング部分１７は、図１において示される、駆動部分３の外部ハウジング１３、その一部又はハウジング１３内の挿入物であり得る。その挿入物は、ハウジング１３に対する回転運動及び軸方向運動に抗して固定される。ハウジング部分１７は、例えば、挿入スリーブであり得る。挿入スリーブはハウジング１３に、例えば、スナップ噛合されるか又か接着され得る。ハウジング部分１７はチューブ状の形を有し得る。ハウジング部分１７は、（明示されていない）外部固定エレメント、例えば、ハウジング部分１７をハウジング１３に固定するためのスナップ噛合エレメントを含み得る。
【００７３】
ピストンロッド１２はハウジング１３の中に、特に、ハウジング部分１７内に保持される。ピストンロッド１２は用量送達中にハウジング部分１７に対して遠位方向に駆動される。
【００７４】
駆動アセンブリ７０は、ハウジング部分１７内に留められる駆動構成部材２０を更に含む。駆動構成部材２０は、力、好ましくは、トルクをピストンロッド１２に移すよう構成される。移された力によって、用量送達のために、ピストンロッド１２がハウジング３に対して遠位方向に変位されることになる。
【００７５】
駆動構成部材２０は、互いに対する相対的な回転運動が不可能とされ、そして互いに対する相対的な軸方向運動が可能とされるように互いに連結される第一の駆動部分７１及び第二の駆動部分７２を含む。例として、第一の駆動部分７１は第二の駆動部分７２とスプライン係合状態にあり得る。ここで、第一及び第二の駆動部分７１、７２の一方は、軸方向に走行している案内スロット７７を有し得て、ここに他方の第一及び第二の駆動部分７１、７２の係合機能７９、例えば、案内ラグ（lug）が案内され得る（図６を参照）。
【００７６】
第一及び第二の駆動部分７１、７２の各々はスリーブを含み、ここに、第二の駆動部分７２のスリーブが第一の駆動部分７１のスリーブ内に部分的に挿入される。第一及び第二の駆動部分７１、７２の両者はハウジング部分１７に対して軸方向に変位できる。互いに対する、そしてハウジング１３に対する第一及び第二の駆動部分７１、７２の軸方向運動は、操作中に駆動アセンブリ７０の構成部材間の遊びを補正し得る。
【００７７】
駆動構成部材２０はらせんばね部材、特に、圧縮ばねの形での付勢部材７３を含む。付勢部材７３は駆動アセンブリ７０の薬物送達操作中に付勢される。付勢部材７３は、第一及び第二の駆動部分７１、７２を反対の軸方向に互いから強制して離す力を供する。
【００７８】
付勢部材７３は第二の駆動部分７２の遠位端でのフランジ７４と第一の駆動部分７１のスリーブの遠位端面７５の間に置かれる。付勢部材７３は第二の駆動部分７２のスリーブの周りに捲きつけられ、そうすることでスリーブを部分的に取り囲む。付勢部材７３は第二の駆動部分７２のフランジ７４と隣接し、そして第一の駆動部分７１のスリーブの遠位端面７５と隣接し、そしてそうすることによって第一及び第二の駆動部分７１、７２上に分離力を供する。
【００７９】
更なる実施態様において、付勢部材７３は、第一及び第二の駆動部分７１、７２上に分離力を供するために第一及び第二の駆動部分７１、７２に異なる方法で連結され得る。一例として、付勢部材７３は第一及び第二の駆動部分７１、７２の少なくとも一つの内側に配置され得る。この場合、付勢部材７３は第二の駆動部分７２の遠位内部端面と隣接し得る。
【００８０】
駆動構成部材２０は第一及び第二の駆動部分７１、７２の相対的な軸方向の分離を制限している保持手段７６（図６を参照）を含み得る。特に、第一及び第二の駆動部分７１、７２はクリップ機構又は他の保持機構を含み得る。例として、停止面７８は第一の駆動部分７１における案内スロット７７の遠位端に置かれ得て、ここに第二の駆動部分７２の係合機能７９が案内される。係合機能７９が停止面７８にそこで隣接する第一及び第二の駆動部分７１、７２の軸方向の分離の際に、第一及び第二の駆動部分７１、７２の更なる相対的な分離は妨げられ得る。
【００８１】
一つの好ましい実施態様において、駆動構成部材２０は、それが駆動アセンブリの他の構成部材内に噛合される前に、事前に組立てられる構成部材としてそれが供されるように構成される。好ましくは、駆動構成部材２０は、互いからの分解が妨げられるように互いに連結される付勢部材７３、第一の駆動部分７１及び第二の駆動部分７２を含む。
【００８２】
第一及び第二の駆動部分７１、７２及び付勢部材７３を含む駆動構成部材２０はハウジング部分１７に対して回転可能である。駆動構成部材２０、例えば、第一及び第二の駆動部分７１、７２の少なくとも一つは、ピストンロッド１２と係合する。そうすることによって、駆動構成部材２０の回転運動、例えば、第二の方向への回転運動は、ハウジング１３に対するピストンロッド１２の遠位での動きに変換される。これは後でより詳細に説明される。
【００８３】
駆動アセンブリ７０は回転部材２１を更に含む。回転部材２１は、特に、薬物の用量を設定するために第一の方向に、そして特に、設定された用量を送達するために第二の方向にハウジング部分１７に対して回転できる。第二の方向は第一の方向に対して反対である。例えば、デバイス１の近位端から見て、第一の方向は反時計回りであり得て、そして、第二の方向は反時計回りであり得る。
【００８４】
駆動構成部材２０の第一及び第二の駆動部分７１、７２、回転部材２１及びピストンロッド１２は、共通の回転軸の回りに回転できるように構成される。回転軸は、駆動構成部材２０、回転部材２１及びピストンロッド１２を通って伸び得る。回転軸は、ピストンロッド１２の主縦軸である。回転軸は、ハウジング部分１７の近位端と遠位端の間を走行する。
【００８５】
回転部材２１は、一方向性クラッチ機構、例えば、摩擦クラッチ機構によって、駆動構成部材２０、特に、駆動構成部材２０の第一の駆動部分７１に連結される。このクラッチ機構は、ハウジング部分１７に対して第一の方向に回転部材２１が回転するときに、第一の駆動部分７１に対する回転部材２１の回転運動を可能にする。クラッチ機構は、ハウジング部分１７に対して第二の方向へ回転部材が回転するときに、第一の駆動部分７１に対する回転部材２１の回転運動を妨げる。第一及び第二の駆動部分７１、７２の連結故に、第一及び第二の駆動部分７１、７２はこのように、このようにハウジング部分１７に対して第二の方向への回転部材２１の回転運動に従動し得る。
【００８６】
第一の駆動部分７１は回転部材２１を係合するように、そして特に、回転部材２１を隣接するように配置される。第一の駆動部分７１は歯部２２、例えば、歯部を含む。第一の駆動部分７１は歯部２２をその近位端に含む。回転部材２１は、第一の対になる歯部２３、例えば、歯部を含む。回転部材２１は歯部２３を、第一の駆動部分７１と面するその遠位端で含む。歯部２２は複数の歯２４を含む。歯部２３は複数の歯２５を含む。歯部２２及び２３は互いに対になるように構成される。
【００８７】
歯２４及び／又は歯２５の各歯は、特に、回転軸から見て方位角方向に沿って傾斜路した形である。各歯の傾斜路はその歯の険しい端面、つまり、回転軸と平行に走行する、又はこの軸上に突き出るとき、回転軸と共に、この軸上に突き出るときの傾斜路より小さい角度を含む歯の面によって角度方向に限定される。険しい端面には次の歯の傾斜路が続く。
【００８８】
第一の駆動部分７１の歯２４は、第一の駆動部分７１上で、特に、回転部材２１に面する第一の駆動部分７１の端部で周囲に配列され得る。歯２５は、回転部材２１上で、特に、第一の駆動部分７１に面する回転部材２１の端部で周囲に配列され得る。
【００８９】
二つの歯の険しい端面が隣接し、そして回転部材２１が第二の方向にさらに続いて回転するとき、険しい側部は隣接状態に留まり、そして駆動部分７１、ひいては第二の駆動部分７２も回転部材２１の回転に従動する。回転部材２１が第一の方向に回転するとき、歯の傾斜路（ここで、傾斜路は、特に、回転軸に対して斜めに走行する）は互いに沿って滑り、その結果、回転部材２１は駆動部分７１、ひいては第二の駆動部分７２に対しても回転する。
【００９０】
駆動アセンブリ７０は停止部材２６を更に含む。駆動構成部材２０は停止部材２６と回転部材２１の間に配置される。停止部材２６は、用量の設定中に、つまり、回転部材２１が第一の方向に回転するとき、ハウジング部分１７に対する第一の方向への駆動構成部材２０の回転運動を妨げるように構成される。このようにして、回転部材２１はハウジング部分１７に対して第一の方向に回転し得て、一方、駆動構成部材２０及び停止部材２６は回転を妨げられる。
【００９１】
停止部材２６は、別の一方向性クラッチ機構、特に、摩擦クラッチ機構によって、駆動構成部材２０の第二の駆動部分７２に連結される。このクラッチ機構は、ハウジング部分１７に対して第一の方向に回転部材２１が回転するときに、停止部材２６に対する第二の駆動部分７２ひいては駆動構成部材２０の回転運動を妨げる。クラッチ機構は、ハウジング部分１７に対して第二の方向へ回転部材２１が回転するときに、第二の駆動部分７２ひいては停止部材２６に対する駆動構成部材２０の回転運動を可能にする。
【００９２】
このように、回転部材２１は、用量の設定中に、第一の方向に駆動構成部材２０及び停止部材２６に対して回転し得て、ここで停止部材２６とのその相互作用によって駆動構成部材２０の回転が妨げられる。設定された用量の送達中に、回転部材２１並びに駆動構成部材２０は、第二の方向に停止部材２６に対して回転し得る。
【００９３】
停止部材２６は、用量の設定中に、好ましくは、用量の送達中に、駆動構成部材２０と隣接し及び／又は係合するように配置される。停止部材２６は、はめ合っている第二の係合手段２７、例えば、歯部を含む。停止部材２６は、駆動構成部材２０の第二の駆動部分７２と面する一端、例えば、その近位端に歯部２７を有する。歯は険しい側部とそれほど険しくない傾斜路を有する傾斜路形状である。歯は、停止部材に沿って、特に、停止部材の周囲上に方位角的に配列され得る。
【００９４】
第二の駆動部分７２は第二の歯部２８、例えば、歯部を含む。第二の駆動部分７２は、停止部材２６と面する一端、例えば、その遠位端で歯部２８を有する。駆動構成部材２０の歯部２２及び２８は反対に配列される。歯部２８は回転部材の歯部２１に従って構成され得る、つまり、回転軸に対して同じ形及び同じ角度位置を有し得る。歯部２２は回転部材の歯部２７に従って構成され得る、つまり、回転軸に対して同じ形及び同じ角度位置を有し得る。歯部２７及び２８は、特に、歯の険しい側部は、ハウジング部分１７に対する、そして特に、第一の方向への停止部材２６に対する駆動構成部材２０の回転を妨げるために確かに協動し、例えば、隣接する。
【００９５】
用量設定及び送達の操作中に、互いに対して又はハウジング１３に対して第一及び第二の駆動部分７１、７２がその分だけ軸方向に移され得る距離は、駆動構成部材２０の各歯部２２又は２８の歯の最大深さに対応し得る。または、その距離は、各歯部の歯の最大深さより大きくあり得る。
【００９６】
停止部材２６は、ハウジング部分１７に対する回転運動及び軸方向運動の両方に抗して固定される。停止部材２６はハウジング部分１７と統合され得るか又はハウジング部分１７に挿入固定され得る。回転部材２１は、ハウジング部分１７に対する軸方向運動に抗して固定され得る。
【００９７】
駆動構成部材２０の付勢部材７３は駆動アセンブリ７０の薬物送達操作中に付勢される。付勢部材７３は、駆動構成部材２０の第二の駆動部分７２を停止部材２６と隣接状態に保持し、そして駆動構成部材の第一の駆動部分７１を回転部材２１と隣接状態に保持するする傾向にある力を供する。特に、付勢部材７３は第一及び第二の駆動部分７１、７２を、各々、回転部材２１及び停止部材７２に向かって反対の軸方向に強制して離す。
【００９８】
弾力的操作部材７３は、薬物の用量の設定及び送達中に、第二の駆動部分７２及び停止部材２６を互いに対して、恒久的な機械的接触状態、例えば、隣接状態に保持する。または、弾力的操作部材７３は、薬物の用量の設定及び送達中に、第一の駆動部分７１及び回転部材２６を互いに対して、恒久的な機械的接触状態、例えば、隣接状態に保持する。
【００９９】
駆動アセンブリ７０は支持部材３２を更に含む。支持部材３２は、ハウジング部分１７に対して軸方向運動及び回転運動に抗して都合よく固定されるか、又はハウジング部分１７内に統合される。支持部材３２は、突出、例えば、リング状の突出であり得る。回転部材２１は支持部材３２中の開口部を通して伸び、そして半径方向に外側に向かって突き出ている部材３３、例えば、フランジ部分を含み得る。突き出ている部材３３は、支持部材３２、特に、支持部材３２の遠位端側を隣接するために都合よく供される。支持部材３２は、付勢部材７３によって第一の駆動部分７１上に、ひいては回転部材２１上にかけられる力に対する抗力を遠位方向に供し得る。
【０１００】
ハウジング部分１７に対する軸方向運動に抗して固定される停止部材２６は、付勢部材７３によって第二の駆動部分７２上ひいては停止部材２６上にかけられる力に対する抗力を近位方向に供する。そうすることによって、薬物の設定中及び投与中の、回転部材２１の第一の駆動部分７１との恒久的な隣接、及び薬物の設定中及び投与中の、停止部材２６の第二の駆動部分７２との恒久的な隣接が助けられる。
【０１０１】
駆動アセンブリ７０３は用量部材３４を更に含む。用量部材３４は、図１の用量部分１６であり得るか又は用量部分１６の一部であり得る。用量部材３４は、用量を設定するために、そして用量を送達するために近位方向にハウジングに対して可動である。例えば、用量部材３４は、用量設定中にハウジング部分１７に対して近位方向に、そして用量送達中にハウジング部分１７に対して遠位方向に動かされ得る。用量部材３４はハウジング部分１７又は、代替法として、（明示されていない）ハウジング１３の別の部分と係合し得る。用量部材３４は、好ましくは、ハウジング部分１７に対する回転運動に抗して固定される。用量部材３４は、各々ハウジング部分１７又はハウジング１３中に供される、別の案内機能、例えば、案内スロット又は案内ラグと係合する案内機能３５、例えば、案内ラグ又は案内スロットを含み得る。
【０１０２】
用量部材３４は回転部材２１に対して近位方向にそして遠位方向に動かされ得る。用量部材３４は、薬物の用量を設定するための、例えば、ハウジング部分１７に対して近位方向への用量部材３４の動きが、第一の方向への回転部材２１の回転運動に変換され、そして用量を送達するための、例えば、ハウジング部分１７に対して遠位方向への用量部材３４の動きが、第一の方向と反対の第二の方向への回転部材２１の回転運動に変換されるべく、回転部材２１に、好ましくは、恒久的に連結される。
【０１０３】
回転部材２１には雄ねじ３６が備えられる。ねじ３６は、用量部材３４の一つ又は複数の係合部材４２と係合される。各係合部材は、用量部材３４の内部上に配置される。各係合部材は、例えば、ねじ又はねじの一部であり得る。このように、用量部材３４及び回転部材２１はねじ連結され得て、特に、ねじ係合される。別の実施態様において、回転部材２１は用量部材３４の外側に配置され得る。ねじの形態、特に、雄ねじ及び雌ねじの形態は各々交換され得る。
【０１０４】
回転部材２１、第一の駆動部分７１、第二の駆動部分７２、停止部材２６及び用量部材３４は各スリーブを含む。ピストンロッド１２は、スリーブを通して駆動されるように配置され、そして特に、駆動される。
【０１０５】
駆動構成部材２０及びピストンロッド１２は、ハウジング１３に対する駆動構成部材２０の回転運動が、ハウジング１３に対するピストンロッド１２の回転運動に変換されるように構成される。特に、駆動構成部材２０の第一及び第二の駆動部分７１、７２の少なくとも一つは、ピストンロッド１２と係合し、例えば、ピストンロッドとスプライン係合される。好ましくは、駆動部分７１、７２の両者は、ピストンロッドと係合する。ピストンロッド１２は、回転軸に沿って走行する変位軸に沿って駆動構成部材２０に対して変位することができる。
【０１０６】
ピストンロッド１２は係合トラック３７、好ましくは、外側上に二つの反対側に配列された係合トラック３７を含む。（それぞれの）係合トラック３７はねじ４９を妨害し得る。（それぞれの）係合トラック３７は、好ましくは、それに沿ってピストンロッド１２がハウジング１３に対して、特に、駆動構成部材２０に対して変位くできる軸に沿って直線的に伸びる。
【０１０７】
第一の駆動部分及び第二の駆動部分７１、７２の少なくとも一つは、ピストンロッド１２の係合トラック３７と係合されるように構成され、軸方向に走行している対応する係合トラックを含む。対応する係合トラックは、第二の駆動部分７２又は第一の駆動部分７１の内面に置かれ得る。
【０１０８】
ピストンロッド１２はハウジング１３にねじで連結される。ピストンロッド１２には、例えば、雄ねじ４９が供され得る。ピストンロッド１２は、ハウジング部分１７と統合的に形成され得るハウジング部分の開口部において、ねじを通して伸び、そしてそれに係合され得て；それに固定されるハウジング部分であり得て；又はハウジング部分１７からハウジング１３に別々に固定されハウジング部分であり得る。描かれた実施態様において、停止部材２６において開口部が形成される。そうすることによって、停止部材２６はピストンロッド１２とねじで係合される。
【０１０９】
ハウジング１３に対する駆動構成部材２０の回転運動は、このようにハウジング１３に対するピストンロッド１２の回転運動に変換され、そしてピストンロッド１２の回転運動は、ピストンロッド１２とハウジングの一部又はハウジングに固定された部分のねじによる係合のせいで、遠位方向へのハウジング１３に対するピストンロッド１２の動きに変換される。
【０１１０】
駆動アセンブリ７０の遠位端に弾力的部材３１が置かれる。弾力的部材３１は停止部材２６の遠位端面と隣接し、そして、カートリッジがデバイスのハウジングに固定されるとき、カートリッジ又はカートリッジ保持部材によって圧縮される。そうすることによって、弾力的部材３１はカートリッジをカートリッジ保持部材の遠位端に向かって押す。
【０１１１】
以下において、図１のカートリッジ４から薬物を送達するための駆動アセンブリ７０の操作が述べられる。
【０１１２】
図２及び３は、用量設定操作中のそのエレメントの幾つかの示された動きを有する駆動アセンブリ７０を示す。
【０１１３】
用量を設定するために、使用者は用量部材３４をハウジング部分１７に対して近位方向（矢印４３）に手動で動かす。そうするために、使用者は用量ノブを掴み得て、そしてそれを近位方向に引っ張り得る。用量部材３４は回転部材２１に対して近位でも動く。回転部材２１の近位での動きは、回転部材２１の突き出し部材３３と隣接する支持部材３２によって妨げられる。従って、ハウジング部分１７に対する用量部材３４の近位での動きは、ハウジング部分１７に対する第一の方向（矢印４４）への回転部材２１の、特に、用量部材３４及び回転部材２１のねじによる係合のせいでの回転運動に変換される。このように、回転部材２１はハウジング部分１３に対して第一の方向に（回転部材２１の近位端から見て、反時計回りに）回転する。回転部材２１は駆動構成部材２０及び停止部材２６に対しても回転する。駆動構成部材２０の第一及び第二の駆動部分７１、７２は、停止部材２６との相互作用、例えば、歯部２７及び２８のインターロックによって、第一の方向への回転を妨げられる。ピストンロッド１２が駆動構成部材２０に連結されるため、そして駆動構成部材２０の第一の方向への回転によってピストンロッド１２が近位方向に走行することになるであろう故に、ピストンロッド１２は、停止部材２６と駆動構成部材２０の第二の駆動部分７２の相互作用によって、近位方向に駆動されることが妨げられる。用量設定中にピストンロッド１２が動くことを妨げることによって、用量の正確さが増大され得る。
【０１１４】
回転部材２１が第一の方向に回転するとき、回転部材２１の歯部２３の歯の傾斜路は歯部２２の歯１の傾斜路に沿って滑る。このように、回転部材の歯は、歯が駆動構成部材２０の第一の駆動部分７１の歯部２２の次の歯の一つに係合するまで、回転軸の回りでインデックスを付け得る（index）。回転部材２１の歯は駆動構成部材２０の第一の駆動部分７１の歯の傾斜路に沿って滑る。この動きの最中に、第一の駆動部分７１は、歯部２３の歯が（全体的に）歯部２２のその歯を係合解除する前に、歯部２２の歯の深さによって、好ましくは、それに等しく定められる距離だけ、ピストンロッド１２及びハウジング１３に対して回転軸に沿って遠位方向に変位される。そうすることによって、第一の駆動部分７１は、第二の駆動部分７２に向かっても動く。その後、回転部材２１の歯は歯部２２の次の歯に係合し、そして付勢部材７３によって供された力は駆動構成部材２０の第一の駆動部分７１を回転軸に沿って軸方向の出発位置へと戻るように動かす。駆動構成部材２０の第一の駆動部分７１の遠位方向への動き及び近位方向へと戻る調和する（according）動きは、図２及び３における二重矢印４５によって示される。
【０１１５】
駆動構成部材２０の第一の駆動部分７１の次の歯と係合する回転部材２１の歯は、使用者に対して聞き取れる及び／又は触れることができるフィードバックを引き起こし得る。
【０１１６】
駆動アセンブリ７０は、固定された用量のデバイス又は可変用量のデバイスに適している。固定された用量のデバイスにおいて、送達されるべき薬物の固定された用量のサイズは、好ましくは、ピストンロッド１２のねじ４９のピッチ、並びに駆動構成部材２０、回転部材２１及び停止部材２６における、各歯部２２、２８、２３、２７の歯の数によって定められる。可変用量のデバイスにおいて、使用者によって変えられ得る用量における増分は、好ましくは、ピストンロッド１２のねじ４９のピッチ、並びに駆動構成部材２０、回転部材２１及び停止部材２６における、各歯部２２、２８、２３、２７の歯の数によって定められる。回転部材２１は使用者が設定できる用量のデバイスに対して駆動構成部材２０の第一の駆動部分７１の一つより多くの歯（用量増分）に亘って、及び固定された用量のデバイスに対してのみ一つの歯に亘って回転され得る。用量設定中に回転部材２１がそれに亘って回転する駆動構成部材２０の第一の駆動部分７１における歯の数、及び歯の角度範囲のサイズによって、実際に送達される用量のサイズが定められる。用量部材３４及び回転部材２１は、回転部材２１が、固定された用量のデバイスに対して一つの歯分だけのみ回転し得るべく、そして使用者が設定できる用量のデバイスに対して、一つより多くの歯分だけ回転し得るべく互いに対して適合され得る。
【０１１７】
図４及び５は、用量の送達操作中のそのエレメントの幾つかの示された動きを有する駆動アセンブリ７０を示す。
【０１１８】
用量が設定された後、用量部分１６及びそれと共に用量部材３４は、使用者によってハウジング部分１７に対して遠位方向（矢印４６）に動かされる（押される）。このように、用量部材３４はハウジング部分１７に対して遠位方向に動かされる。従って、駆動部材２１はハウジング部分１７に対して、第一の方向とは反対である第二の方向（矢印４７）へ回転する。駆動構成部材２０の第一及び第二の駆動部分７１、７２は、第二の方向への回転部材２１の回転運動に従動する。第二の方向への回転部材２０の回転運動は、第二の方向へのピストンロッド１２の回転運動に変換され、その動きは、次いで、遠位方向へのピストンロッド１２の動きに変換される。従って、図１のピストン１０はカートリッジ４に対して遠位方向に変位され得て、そして薬物５の用量はカートリッジ４から投与され、その量は前に設定された用量に対応する。
【０１１９】
用量送達中に、第一の駆動部分７１の歯部２２及び回転部材２１の歯部２３はインターロックし、そして第二の駆動部分７２の歯部２８の歯の傾斜路は、停止部材２６の歯部２７の歯の傾斜路に沿って滑る。この動きは反対の回転方向を有する回転部材及び駆動構成部材の相対的な回転運動に対する上述のものと類似している。駆動部構成部材２０の第二の部分７２はそうすることによって、停止部材２６における歯部２７歯の深さに対応する距離だけ、停止部材２６に対して近位方向に変位される。付勢部材７３は、歯部２８の次の歯が歯部２７の各歯によって係合されるとき（二重矢印４８）、第二の駆動部分７２を軸方向の出発位置に戻るよう強いる。
【０１２０】
停止部材２６の次の歯と係合する駆動構成部材２０の第二の駆動部分７２の歯は、使用者に対して聞き取れる及び／又は触れることができるフィードバックを引き起こし得る。
【符号の説明】
【０１２１】
１  薬物送達デバイス
２  カートリッジ部分
３  駆動部分
４  カートリッジ
５  薬物／薬物
６  出口
７  デバイスの遠位端
８  デバイスの近位端
９  膜
１０  ピストン
１１  カートリッジ保持部材
１２  ピストンロッド
１３  ハウジング
１４  カートリッジ部分の近位端側
１５  ハウジングの遠位端
１６  用量部分
１７  ハウジング部分
１８  ハウジング部分の近位端
１９  ハウジング部分の遠位端
２０  駆動構成部材
２１  回転部材
２２  駆動構成部材の第一の部分の歯部
２３  回転部材の歯部
２４  駆動構成部材の第一の部分の歯
２５  回転部材の歯
２６  停止部材
２７  停止部材の歯部
２８  駆動構成部材の第二の部分の歯部
３１  弾力的部材
３２  支持部材
３３  突出部材
３４  用量部材
３５  案内機能
３６  ねじ山
３７  係合トラック
３８  係合機能
３９  開口部
４０  ハウジング部分
４１  用量ノブ
４２  係合部材
４３、４６  用量部材の動きを示している矢印
４４、４７  回転部材の動きを示している矢印
４５、４８  第一／第二の駆動部分の軸方向の変位を示している矢印
４９  ねじ
７０  駆動アセンブリ
７１  第一の駆動部分
７２  第二の駆動部分
７３  付勢部材
７４  フランジ
７５  第一の駆動部分の遠位端面
７６  保持手段
７７  案内スロット
７８  停止面
７９  係合機能
【図１】
0005868392.tif 000002
【図２】
0005868392.tif 000003
【図３】
0005868392.tif 000004
【図４】
0005868392.tif 000005
【図５】
0005868392.tif 000006
【図６】
0005868392.tif 000007